(57)【要約】【課題】立体感と臨場感に溢れる表示が可能な表示装置を有する電子機器を提供すること。【解決手段】  電子機器は底板と天板を備え、かつ開口を有する筐体と、筐体内に配置され、開口に対向するバックライトと、開口とバックライトの間にバックライトから離隔して位置する表示パネルと、表示パネルとバックライトとの間に位置し、主面が底板に対向する第１の反射膜とを備え、表示パネルの主面がバックライトの主面に対して傾いている。【選択図】図１
2020201374.tif 000002
【特許請求の範囲】
【請求項１】
底板と天板を備え、開口を有する筐体と、
前記筐体内に配置され、前記開口に対向するバックライトと、
前記開口と前記バックライトの間に、前記バックライトから離隔して位置する表示パネルと、
前記表示パネルと前記バックライトとの間に位置し、主面が前記底板に対向する第１の反射膜とを備え、
前記表示パネルの主面が前記バックライトの主面に対して傾いている電子機器。
【請求項２】
前記表示パネルと前記バックライトの距離は、前記底板から前記天板に近づくに従って減少する、請求項１に記載の電子機器。
【請求項３】
前記表示パネルの前記主面と前記底板とがなす角度は、４５°以上８０°以下である、請求項１または請求項２に記載の電子機器。
【請求項４】
前記筐体内に第２の反射膜をさらに備え、
前記第１の反射膜と前記第２の反射膜は、それぞれ前記底板と前記天板を覆うように配置される、請求項１から請求項３の何れか１項に記載の電子機器。
【請求項５】
前記第１の反射膜を覆う光拡散板をさらに備える、請求項１から請求項４の何れか１項に記載の電子機器。
【請求項６】
前記光拡散板は、前記開口から前記バックライトに近づくに従って前記底板からの距離が増大するように湾曲する、請求項５に記載の電子機器。
【請求項７】
前記底板の主面と前記バックライトの主面に垂直な断面において、前記距離が最大となる位置は、前記開口よりも前記バックライトに近い、請求項６に記載の電子機器。
【請求項８】
前記光拡散板は、前記底板の主面と前記バックライトの主面に垂直な断面において少なくとも一つの変曲点を有するように湾曲する、請求項５に記載の電子機器。
【請求項９】
前記断面において、前記開口から前記変曲点の間に位置し、かつ前記底板からの距離が最大となる点は、前記開口よりも前記変曲点に近い、請求項８に記載の電子機器。
【請求項１０】
前記開口と前記表示パネルの間に配置される一対の第３の反射膜をさらに備える、請求項１に記載の電子機器。
【請求項１１】
前記表示パネルは、画素を含む表示領域、および前記表示領域を囲む額縁領域を有し、
前記一対の第３の反射膜は、前記額縁領域を覆い、前記表示領域の少なくとも一部を露出する、請求項１０に記載の電子機器。
【請求項１２】
前記表示パネルと前記バックライトの間に配置され、前記額縁領域を覆う一対の第４の反射膜をさらに備える、請求項１１に記載の電子機器。
【請求項１３】
前記底板の主面に平行な断面において、前記一対の第３の反射膜と前記表示パネルが接する点は、前記一対の第４の反射膜と前記表示パネルが接する点に挟まれる、請求項１２に記載の電子機器。
【請求項１４】
前記開口を覆い、可視光の少なくとも一部を透過するカバーをさらに備える、請求項１から請求項１３の何れか１項に記載の電子機器。
【請求項１５】
前記カバーの端部を覆う遮光膜をさらに備える、請求項１４に記載の電子機器。
【請求項１６】
前記カバーは四角形の形状を有し、
前記遮光膜は前記四角形の角を覆う、請求項１５に記載の電子機器。
【請求項１７】
前記筐体は、前記底板の主面に平行な断面において、前記筐体と前記開口が多角形を構成するように構成される、請求項１から請求項１６の何れか１項に記載の電子機器。
【請求項１８】
底板と、天板と、前記底板と前記天板とに交差する背板と、を有する筐体と、
前記筐体内に配置され、前記背板に対向するバックライトと、
前記バックライトの前記背板とは反対側に位置する表示パネルと、
前記表示パネルと前記バックライトとの間に位置し、主面が前記底板に対向する反射膜とを備え、
前記表示パネルと前記バックライトとの距離は、前記底板から前記天板に近づくに従って減少する電子機器。
【請求項１９】
前記反射膜を覆う光拡散板をさらに備え、
前記光拡散板は、前記反射膜と離間した部分を有し、
前記光拡散板の主面は湾曲している部分を有する、請求項１８に記載の電子機器。
【請求項２０】
スピーカー部をさらに備え、
前記スピーカー部は、
キャビネット、および
前記キャビネット内に配置されるスピーカーを備え、
前記キャビネットと前記底板はそれぞれ、互いに重なる貫通孔を有する、請求項１から請求項１９の何れか１項に記載の電子機器。
【発明の詳細な説明】
【技術分野】
【０００１】
本発明の実施形態の一つは、電子機器に関する。例えば、表示部とスピーカー部を有する電子機器に関する。
【背景技術】
【０００２】
表示装置の代表的な例として、液晶表示装置や有機ＥＬ（Ｅｌｅｃｔｒｏｌｕｍｉｎｅｓｃｅｎｃｅ）表示装置などが挙げられる。これらの表示装置はフラットパネルディスプレイとして、テレビやコンピュータのモニター、携帯電話の表示部など、様々な電子機器に利用されている。これらの表示装置では、複数の画素によってフラットな表示面が形成され、各画素を制御することで表示面上に映像が表示される。このため、映像は二次元映像として表示され、現実空間に置かれた物体の持つ立体感や臨場感に欠ける。そこで表示装置の構造を工夫することにより、映像の立体感や臨場感を改善する手法が検討されている（特許文献１、２参照）。
【先行技術文献】
【特許文献】
【０００３】
【特許文献１】米国特許出願公開第２００６／０２１４８７４
【特許文献２】特開平１１−６９８２号公報
【発明の概要】
【発明が解決しようとする課題】
【０００４】
本発明に係る実施形態の一つは、立体感と臨場感を有する映像を表示可能な表示装置を備える電子機器を提供することを課題の一つとする。あるいは本発明に係る実施形態の一つは、上記表示装置とスピーカー部を備える電子機器を提供することを課題の一つとする。
【課題を解決するための手段】
【０００５】
本発明の実施形態の一つは電子機器である。この電子機器は、底板と天板を備えかつ開口を有する筐体と、筐体内に配置され、開口に対向するバックライトと、開口とバックライトの間に、バックライトから離隔して位置する表示パネルと、表示パネルとバックライトとの間に位置し、主面が底板に対向する第１の反射膜とを備え、表示パネルの主面がバックライトの主面に対して傾いている。
【０００６】
本発明の実施形態の一つは電子機器である。この電子機器は、底板と天板と底板と天板とに交差する背板とを有する筐体と、筐体内に配置され背板に対向するバックライトと、バックライトの背板とは反対側に位置する表示パネルと、表示パネルとバックライトとの間に位置し、主面が底板に対向する第１の反射膜とを備え、表示パネルとバックライトとの距離は、底板から天板に近づくに従って減少する。
【図面の簡単な説明】
【０００７】
【図１】本発明の一実施形態に係る電子機器の模式的斜視図。
【図２】本発明の一実施形態に係る電子機器の液晶パネルの模式的上面図。
【図３】本発明の一実施形態に係る電子機器の模式的断面図。
【図４】本発明の一実施形態に係る電子機器の模式的断面図。
【図５】本発明の一実施形態に係る電子機器の模式的断面図。
【図６】本発明の一実施形態に係る電子機器の模式的断面図。
【図７】本発明の一実施形態に係る電子機器の模式的断面図。
【図８】本発明の一実施形態に係る電子機器の模式的斜視図と断面図。
【図９】本発明の一実施形態に係る電子機器の模式的斜視図と断面図。
【図１０】本発明の一実施形態に係る電子機器のカバーの模式的正面図
【図１１】本発明の一実施形態に係る電子機器の模式的斜視図。
【図１２】本発明の一実施形態に係る電子機器の模式的断面図。
【図１３】本発明の一実施形態に係る電子機器の模式的断面図。
【図１４】本発明の一実施形態に係る電子機器の模式的断面図。
【図１５】本発明の一実施形態に係る電子機器の模式的斜視図。
【発明を実施するための形態】
【０００８】
以下、本発明の各実施形態について、図面等を参照しつつ説明する。但し、本発明は、その要旨を逸脱しない範囲において様々な態様で実施することができ、以下に例示する実施形態の記載内容に限定して解釈されるものではない。
【０００９】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１０】
本明細書および請求項において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１１】
本明細書および請求項において、複数の要素が一体化されるとは、複数の要素は互いに厚さや形状、方向などが異なり異なる機能を有するが、これらは一つの部材から形成されることを意味する。したがって一体化された複数の要素は、互いに同一の材料を含み、同一の組成を有する。
【００１２】
１．全体構成
本発明の実施形態の一つに係る電子機器１００の模式的斜視図を図１に示す。電子機器１００は表示部１１０を備え、任意の構成としてさらにスピーカー部１６０を備えてもよい。詳細は後述するが、表示部１１０は筐体１１２、および筐体１１２内に斜めに配置された液晶パネル１２０などの表示パネルを備える。表示パネルは液晶パネル１２０に限定されず、背面からの光を表示面側へ透過する表示パネル、透明ディスプレイパネルでもよい。例えば、液晶パネル１２０の替りに透明有機ＥＬパネルが備えられてもよい。
【００１３】
２．表示部
（１）液晶パネル（表示パネル）
図２に液晶パネルの１２０の模式的上面図を示す。液晶パネル１２０は基板１２２を有し、基板１２２上にはパターニングされた種々の導電膜、絶縁膜、半導体膜が積層される。パターニングされた導電膜、絶縁膜、半導体膜が適宜配置されることで複数の画素１２４や画素１２４を駆動するための駆動回路（走査線駆動回路１３０、信号線駆動回路１３２）、複数の端子１３４などが形成される。複数の画素１２４によって表示領域１２６が形成される。ここで表示領域１２６とは、すべての画素１２４を覆い、例えば最小面積を有する四角形の領域を指す。表示領域１２６は四角形以外の形状、例えばコーナー部が湾曲している形状でもよい。表示領域１２６以外の領域が額縁領域１２８であり、表示領域１２６は額縁領域１２８に囲まれる。端子１３４にはフレキシブル印刷回路（ＦＰＣ）基板１３６が接続され、外部回路（図示しない）から電源や映像信号などが入力される。
【００１４】
液晶パネル１２０は所謂透過型の液晶パネルであり、各画素１２４に配置される画素電極、および複数の画素１２４にわたって形成される共通電極はいずれも可視光の少なくとも一部を透過するように構成される。液晶の駆動方式に制約はなく、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ  Ｓｗｉｔｃｈｉｎｇ）方式、ＦＦＳ（Ｆｒｉｎｇｅ  Ｆｉｅｌｄ  Ｓｗｉｔｃｈｉｎｇ）方式、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などから任意に選択することができる。
【００１５】
（２）筐体
筐体１１２は液晶パネル１２０とバックライト１１８（後述）を収容するために設けられ、図１、図３に示すように、天板１１２ｂ、天板１１２ｂに対向する底板１１２ｃ、および天板１１２ｂと底板１１２ｃに連結される一対の側板１１２ｄを備える。筐体１１２はさらに、天板１１２ｂ、底板１１２ｃ、および側板１１２ｄに連結される背板１１２ａを有してもよい。背板１１２ａ、天板１１２ｂ、底板１１２ｃ、および一対の側板１１２ｄは一体化されていてもよく、あるいは互いに独立した部材で形成され、互いに連結されていてもよい。図１、図３に示すように、筐体１１２は開口１１２ｅを有する。開口１１２ｅは、天板１１２ｂ、底板１１２ｃ、および一対の側板１１２ｄの側面によって定まり、背板１１２ａと対向する。開口１１２ｅは、天板１１２ｂ、底板１１２ｃ、および一対の側板１１２ｄの、背板１１２ａとは反対側に位置する端部によって囲まれた領域であるとも言える。また、開口１１２ｅは、開口１１２ｅの外周に当該端部が位置する構造であるとも言える。筐体１１２に含まれる材料は任意に選択することができ、例えばアルミニウムやクロム、鉄、ステンレスなどの金属または合金、木材、あるいは樹脂などで筐体１１２を構成することができる。天板１１２ｂ、底板１１２ｃ、一対の側板１１２ｄおよび背板１１２ａは可視光を透過しないように構成される。
【００１６】
（３）バックライト
バックライト１１８は筐体１１２内に収容され、筐体１１２の開口１１２ｅに対向するように配置される（図３）。バックライト１１８の構成に制限はなく、図示しない光源や導光板、反射板、光拡散板、プリズムシート、波長変換膜などによって構成される。光源としては、冷陰極管や発光ダイオード（ＬＥＤ）などを利用することができる。導光板の側面にＬＥＤを配置してもよいし、開口１１２ｅと対向する部分に複数のＬＥＤを、例えば複数のマイクロＬＥＤを配置してもよい。あるいは、バックライト１１８として有機ＥＬ素子が設けられた表示装置、または照明装置を用いてもよい。
【００１７】
ここで、液晶パネル１２０はバックライト１１８から離隔し、かつ、バックライト１１８に対して傾くように配置される。より具体的には、底板１１２ｃから天板１１２ｂに向かう方向において、底板１１２ｃからの距離が増大するに従って液晶パネル１２０とバックライト１１８間の距離が減少するように液晶パネル１２０とバックライト１１８が筐体１１２内に配置される。したがって天板１１２ｂを底板１１２ｃよりも上になるように電子機器１００を配置すると、液晶パネル１２０の表示領域１２６は開口１１２ｅに面し、かつ、上方向に向くことになる。別言すれば、表示領域１２６は天板１１２ｂの一部と対向し底板１１２ｃとは対向しないことになる。液晶パネル１２０の主面とバックライト１１８の主面とがなす角は、１０°以上４５°以下の範囲で適宜選択される。別言すれば、図３において、液晶パネル１２０の主面を示す線分を延長し、バックライト１１８の主面を示す線分を延長し、これら延長した２つの直線が交差する箇所で２つの直線のなす角（鈍角）が１０°以上４５°以下の範囲で適宜選択される。すなわち、図３に示す角度θが４５°以上８０°以下の範囲で適宜選択される。角度θは、望ましくは５０°以上８０°以下、さらに望ましくは６０°以上７５°の範囲で適宜選択される。図３に示す角度θは、例えば液晶パネル１２０の主面と底板１１２ｃとがなす角、液晶パネル１２０の基板と底板１１２とがなす角、互いに交差する箇所で液晶パネル１２０と底板１１２とがなす角、底板１１２上の配置物（後述する第１の反射膜１４０、光拡散板１４８など）と液晶パネル１２０とがなす角である。
【００１８】
（４）反射膜
表示部１１０はさらに、筐体１１２内部の光反射率を向上させるための反射膜を有することができる。具体的には、底板１１２ｃとバックライト１１８の主面に垂直な断面図である図３に示すように、底板１１２ｃの少なくとも一部を覆う第１の反射膜１４０、天板１１２ｂの少なくとも一部を覆う第２の反射膜１４２を筐体１１２内に備えることができる。
【００１９】
さらに表示部１１０には、側板１１２ｄの少なくとも一部を覆うように一対の第３の反射膜１４４を設けてもよい。具体的には、図３の鎖線Ａ−Ａ´に沿った、底板１１２ｃに平行な断面の模式図（図４（Ａ））に示すように、液晶パネル１２０を挟持する一対の第３の反射膜１４４を筐体１１２内に配置してもよい。この場合、一対の第３の反射膜１４４はバックライト１１８から開口１１２ｅまで延伸する。
【００２０】
あるいは図４（Ｂ）に示すように、液晶パネル１２０と開口１１２ｅの間に一対の第３の反射膜１４４を、液晶パネル１２０とバックライト１１８の間に一対の第４の反射膜１４６を設けてもよい。この場合、一対の第３の反射膜１４４は額縁領域１２８（図２参照）を覆い、液晶パネル１２０と接するように設けられる。一対の第３の反射膜１４４は表示領域１２６の一部、すなわち画素１２４の一部を覆ってもよい。このように一対の第３の反射膜１４４を配置することで、表示領域１２６が一対の第３の反射膜１４４の間で露出する。
【００２１】
同様に、一対の第４の反射膜１４６も額縁領域１２８の少なくとも一部を覆い、液晶パネル１２０と接するように設けられる。図５に示すように、一対の第３の反射膜１４４と一対の第４の反射膜１４６は、底板１１２ｃに平行な断面において、一対の第３の反射膜１４４が液晶パネル１２０と接する二つの接点１４４ａが、一対の第４の反射膜１４６が液晶パネルと接する二つの接点１４６ａに挟まれるように配置してもよい。あるいは図４（Ｂ）に示すように、開口１１２ｅからバックライト１１８の方向において、接点１４４ａの一つと接点１４６ａの一つが一致してもよく、接点１４４ａの他方と接点１４６ａの他方が一致するように一対の第３の反射膜１４４と一対の第４の反射膜１４６を配置してもよい。
【００２２】
第１の反射膜１４０から第４の反射膜１４６に用いることができる反射膜としては、ポリエチレンテレフタレートなどのポリエステル、ポリエチレンなどのポリオレフィンなどの高分子を含むフィルムで銀やアルミニウムの薄膜を挟持した構造を有する積層膜が挙げられる。第１の反射膜１４０から第４の反射膜１４６の可視光領域における平均反射率は、それぞれ独立に、９０％以上１００％以下、９５％以上１００％以下、あるいは９８％以下１００％以下が好ましい。あるいは、反射膜に替わって偏光機能を有する反射型偏光フィルムを用いてもよい。
【００２３】
第１の反射膜１４０から第４の反射膜１４６を設けることで、バックライト１１８から直接液晶パネル１２０を透過する光（図３における点線矢印（１））のみならず、これらの反射膜で反射した光も液晶パネル１２０を透過し、開口１１２ｅを通して取り出すことができる（図３における点線矢印（２）参照）。このため、バックライト１１８からの光を有効に利用して明るい映像を提供することができるとともに、消費電力を低減することができる。
【００２４】
さらに、第２の反射膜１４２や一対の第３の反射膜１４４を設けることにより、表示領域１２６が筐体１１２の外側に広がったような錯覚を引き起こすことができる。例えば図４（Ｂ）に示すように、点Ｐ2を視点とすると、表示領域１２６内の点Ｐ1を通過して視点Ｐ2に進む光は、バックライト１１８からの光が点Ｐ1を通過した後直接視点Ｐ2へ達する光（点線矢印（１））と、第３の反射膜１４４に反射した後に視点Ｐ2へ達する光（点線矢印（２））が合成された光となる。したがって点Ｐ1は筐体１１２外部の点Ｐ1´としても視認される。特に額縁領域１２８を覆うように第３の反射膜１４４を設けることで、表示領域１２６と額縁領域１２８の境界を肉眼では認識することが困難となるので、映像が表示される空間が広がったような錯覚を与えることができる。すなわち、筐体１１２の外部にまで拡張された三次元空間に映像が映し出されたような感覚を与えることができる。
【００２５】
なお、筐体１１２の内部表面が高い反射率を有する場合には、必ずしも第１の反射膜１４０や第２の反射膜１４２、第４の反射膜１４６を設ける必要は無い。この場合、額縁領域１２８を覆う第３の反射膜１４４を額縁領域１２８が視認されないように設ければよい。
【００２６】
（５）光拡散板
表示部１１０にはさらに、筐体１１２内に光拡散板１４８を設けることができる。具体的には図３に示すように、表示部１１０は第１の反射膜１４０上に第１の反射膜１４０の少なくとも一部を覆う光拡散板１４８を有してもよい。光拡散板１４８はバックライト１１８からの光を様々な方向に拡散する機能を有し（図３における点線矢印（３）参照）、可視光に対する透過率が高い高分子材料、およびこの高分子材料中に分散した拡散粒子を含む。高分子材料としては、ポリカルボナートやポリエステル、あるいはアクリル系樹脂を用いることができる。拡散粒子としては、炭酸カルシウム、硫酸バリウム、二酸化チタン、水酸化アルミニウム、酸化ケイ素、タルク、マイカ、ホワイトカーボン、酸化マグネシウム、あるいは酸化亜鉛などの無機化合物でも良く、ポリアクリル酸エステル、ポリメタクリル酸エステル、ポリスチレンなどを基本骨格として有する高分子材料でも良い。
【００２７】
光拡散板１４８は、必ずしもその主面が底板１１２ｃや第１の反射膜１４０と平行に配置される必要は無く、湾曲していてもよい。例えば図６（Ａ）に示すように、上方向（すなわち、天板１１２ｂの方向）に凸部を有するように湾曲してもよい。この場合光拡散板１４８は、底板１１２ｃとバックライト１１８の主面に垂直な断面において、底板１１２ｃからの距離が最大となる点１４８ａが開口１１２ｅよりもバックライト１１８に近くなるように構成してもよい（図６（Ｂ））。この構造により、光拡散板１４８の傾斜は、開口１１２ｅ側に位置する傾斜の方がバックライト１１８側に位置する傾斜よりも緩やかになる。
【００２８】
あるいは図７（Ａ）に示すように、光拡散板１４８は、開口１１２ｅからバックライト１１８に近づくに従って底板１１２ｃからの距離が連続的、あるいは断続的に増大するように湾曲してもよい。あるいは図７（Ｂ）に示すように、底板１１２ｃとバックライト１１８の主面に垂直な断面において、少なくとも一つの変曲点１４８ｂを有するように光拡散板１４８を構成してもよい。この場合には、上記断面において、開口１１２ｅから変曲点１４８ｂの間に位置し、かつ底板１１２ｃからの距離が最大となる点１４８ａは、開口１１２ｅよりも変曲点１４８ｂに近くなるように光拡散板１４８を構成することが好ましい。
【００２９】
光拡散板１４８を第１の反射膜１４０上に設けることで、表示部１１０において映し出される映像に優れた臨場感と立体感を付与することができる。これを図８（Ａ）から図９（Ｂ）を用いて説明する。
【００３０】
表示部１１０に物体１５０を映し出す際、立体感を演出するため、映像信号には物体１５０だけでなく、物体１５０に付随する影１５２を表示するための信号が含まれる。影１５２は通常物体１５０の下に映し出される（図８（Ａ））。光拡散板１４８を設けない場合、観察者やユーザは液晶パネル１２０を介して第１の反射膜１４０とバックライト１１８間の境界を明確に視認できるため、平坦な第１の反射膜１４０が物体１５０の下に（筐体物体１１２の内部で物体１５０が表示している箇所の下に）存在することが認識される。液晶パネル１２０の表示領域１２６上に映し出される影１５２は、視点Ｐ2から表示領域１２６上の影１５２を第１の反射膜１４０上に投影した像として視認される。すなわち、図８（Ｂ）の断面模式図に示すように、視点Ｐ2と影１５２の輪郭を結ぶ直線が第１の反射膜１４０と交差する点Ｐ3と点Ｐ4の間に、二次元の映像としての影１５２を明確に認識することになる。このため、影１５２の輪郭が明瞭となり、影１５２を含む映像が第１の反射膜１４０の上にはっきりと視認されることになる。その結果、影１５２によってある程度の立体感は得られるものの、映像の奥行き感や三次元的広がりを感じることが十分にはできない。
【００３１】
これに対して光拡散板１４８を設けると、第１の反射膜１４０で反射する光がランダムに拡散するため、観察者やユーザは第１の反射膜１４０の存在を明確に把握することができない（図９（Ｂ））。また、光拡散板１４８を設けることにより、第１の反射膜１４０とバックライト１１８の境界は光拡散板１４８を通して観察することになるため、これらの間の境界を明確に視認することができなくなる。つまり、観察者やユーザが、液晶パネル１２０に表示される映像の奥行方向に位置する、電子機器１１０が備える（または筐体１１２が備える）２つの構成要素の境界（例えば第１の反射膜１４０とバックライト１１８の境界）を明確に視認することができなくなる。また、光拡散板１４８を設けることで、図４（Ａ）、図４（Ｂ）、図５に示す第３の反射膜１４４と底板１１２ｃとの境界、第４の反射膜１４６と底板１１２ｃとの境界、第４の反射膜１４６とバックライト１１８との境界も明確に視認することができなくなる。特に図７（Ａ）に示すように、この境界を光拡散板１４８で覆う、あるいは図６（Ａ）、図６（Ｂ）、図７（Ｂ）のように凸部を設けたり開口１１２ｅ側の傾斜を緩やか設定したりするとで、この境界と視点Ｐ2を結ぶ直線（図９（Ｂ）の点線（１））は光拡散板１４８を一回または複数回通過することになるため、この効果が顕著となる。その結果、映像が下方向、すなわち底板１１２ｃの下にも連続するような錯覚や、筐体１１２内の空間の奥行が無限に存在するかのような錯覚が生まれ、映像に奥行き感が生じる。
【００３２】
さらに、影１５２の輪郭を通って視点Ｐ2に達する光は、点Ｐ3と点Ｐ4の間で反射する光のみならず、点Ｐ3と点Ｐ4に挟まれた領域の外側に存在する点（例えば点Ｐ5）で反射した光も含まれるため、影１５２の輪郭がぼやけて視認される（図９（Ａ））。このような効果により、影１５２は底板１１２ｃよりも下に位置するような錯覚が生じ、その結果、物体１５０が広い三次元空間に存在するかのように認識することができる。さらに影１５２が作り出す立体感との協奏によって、映像に対して高い臨場感を付与することができる。
【００３３】
（６）カバーと遮光膜
表示部１１０にはさらに、開口１１２ｅを覆うカバー１１４を設けてもよい（図３）。カバー１１４は筐体１１２を密閉するように天板１１２ｂや底板１１２ｃ、側板１１２ｄに固定されることが好ましい。カバー１１４は可視光の少なくとも一部を透過するように構成され、これにより、液晶パネル１２０を通過したバックライト１１８からの光が外部へ取り出され、映像として認識される。カバー１１４に含まれる材料としては、ガラスや石英などのケイ素含有無機化合物や、ポリエチレンテレフタレートなどのポリエステルやポリカルボナート、アクリル樹脂などの高分子でもよい。
【００３４】
カバー１１４の一部には、可視光を遮断するための遮光膜１１６を設けてもよい。例えば図１０（Ａ）に示すように、カバー１１４の端部と重なるように、閉じた形状を有する遮光膜１１６をカバー１１４上に形成することができる。図３では遮光膜１１６はカバー１１４に対して筐体１１２と反対側に配置されているが、遮光膜１１６はカバー１１４と筐体１１２の間に配置してもよい。遮光膜１１６を設けることにより、液晶パネル１２０上に映し出された映像を見る際、カバー１１４の存在を明確に感知することができる。このため、筐体１１２内部に液晶パネル１２０が存在していることを感知しにくくなり、筐体１１２内の空間が液晶パネル１２０によって区分されず、一つの空間であるとの錯覚が生まれる。その結果、二次元の映像として映し出された物品が筐体１１２内の三次元空間に実際に存在しているような印象を与えることができ、映像の臨場感の向上に寄与することができる。
【００３５】
遮光膜１１６の形状は図１０（Ａ）に示した形状に限られず、例えば図１０（Ｂ）に示すように、複数の遮光膜１１６をカバー１１４の角に設けてもよい。カバー１１４が四角形の場合、四つの角にそれぞれ遮光膜１１６を設けることができる。この場合、遮光膜１１６の輪郭の一部は湾曲していてもよい（図１０（Ｃ））。図示しないが、遮光膜１１６によってアルファベットや数字などを含む文字列を構成し、これをカバー１１４上に配置してもよい。
【００３６】
（７）変形例
図３などに示した例では、液晶パネル１２０は主面が長方形の基板１２２を有しており、基板１２２の短辺が底板１１２ｃや天板１１２ｂと平行になるように配置されるが、図１１に示すように、液晶パネル１２０は基板１２２の長辺が底板１１２ｃや天板１１２ｂと平行になるように配置してもよい。
【００３７】
筐体１１２の形状は図１などに示した形状に限られず、例えば図１２（Ａ）や図１２（Ｂ）に示すように、底板１１２ｃに平行な断面において、カバー１１４と筐体１１２が形成する形状が五角形や六角形などの多角形となるように筐体１１２を構成してもよい。換言すると、表示部１１０の外観は多角柱でもよい。この場合、筐体１１２は複数の背板１１２ａを有すると認識することができる。あるいは図１３（Ａ）、図１３（Ｂ）に示すように、底板１１２ｃに平行な断面において、筐体１１２は湾曲した形状（例えば円や楕円の一部）を有してもよい。
【００３８】
また、筐体１１２内にバックライト１１８を複数配置してもよい。例えば図１２（Ｂ）に示すように、複数の背板１１２ａのそれぞれに沿ってバックライト１１８を配置してもよい。バックライト１１８の形状は板状である必要は無く、例えば筐体１１２が湾曲した形状を有する場合、湾曲したバックライト１１８を筐体１１２の湾曲形状に沿うように配置してもよい（図１３（Ｂ））。この場合には、バックライト１１８が湾曲形状の導光板を備える構造にしてもよい。また、例えば可撓性基板上に設けられた有機ＥＬ発光素子を有する照明装置、あるいは表示装置をバックライト１１８として用いてもよい。
【００３９】
（８）映像表示
液晶パネル１２０に表示される映像に制約はないが、より立体感を高めるため、図９（Ｂ）に示す通り、映像中の影１５２と視点Ｐ2を結ぶ直線が光拡散板１４８上に位置するように映像を構築することが好ましい。また、表示領域１２６において映し出される物体１５０の最も下の点と視点Ｐ2を結ぶ直線（図９（Ｂ）における点線（１））が、バックライト１１８の下端部に位置するように映像を構築することが好ましい。このように映像を構築することで、物体１５０が筐体１１２の底板１１２ｃ上に位置し、その影１５２が底板１１２ｃの下に位置するように視認されるという効果を生み出すことができる。なお、視点Ｐ2は、例えば液晶パネル１２０の中心を通る、換言すれば表示領域１２６のほぼ中央部を通る液晶パネル１２０の主面の法線上であり、かつ、天板１１２ｂの下に設定することができる。
【００４０】
バックライト１１８として有機ＥＬ表示装置を用いる場合には、バックライト１１８からの光の色を適宜調整してもよい。あるいはバックライト１１８を用いて映像を表示し、その映像の光を利用して液晶パネル１２０上にさらに映像を表示してもよい。
【００４１】
３．スピーカー部
スピーカー部１６０は、キャビネット１６２、キャビネット１６２内に配置されるスピーカー１６４を備える（図１４）。一つのキャビネット１６２内に配置されるスピーカー１６４の数に制約はなく、一つでも良く、複数でも良い。複数のスピーカー１６４を用いる場合、少なくとも一つのスピーカー１６４の大きさや特性は、他のスピーカー１６４と異なってもよい。スピーカー１６４と接続される配線１６６は、キャビネット１６２に設けられる貫通孔１６２ａを介して外部へ取り出される。貫通孔１６２ａはシール材１６８によって封止され、キャビネット１６２の内部空間が密閉される。
【００４２】
スピーカー部１６０は、表示部１１０の筐体１１２とキャビネット１６２が直接、あるいは接着部材などを介して接するように配置することが好ましい。スピーカー部１６０と表示部１１０の位置関係に制約はなく、スピーカー部１６０を筐体１１２の下に配置してもよく（図１４）、あるいは図１５に示すように、表示部１１０とスピーカー部１６０を水平に配置してもよい。すなわち、側板１１２ｄに直接、あるいは接着部材などを介して接するようにスピーカー部１６０を配置してもよい。スピーカー部１６０の数も一つに限られず、複数のスピーカー部１６０を有するように電子機器１００を構成してもよい。例えば二つのスピーカー部１６０で表示部１１０を挟持してもよい。
【００４３】
図１４に示すように、キャビネット１６２内の空間と筐体１１２内の空間が連続するように（直接繋がるように）電子機器１００を構成することが好ましい。具体的には、キャビネット１６２と筐体１１２に第２の貫通孔１６２ｂと１１２ｆをそれぞれ設け、第２の貫通孔１６２ｂ、１１２ｆが互いに重なるようにスピーカー部１６０と表示部１１０を配置する。これにより、キャビネット１６２内の空間、およびカバー１１４によって密閉された筐体１１２内の空間が第１の反射膜１４０を介して互いに連結される。第１の反射膜１４０の第２の貫通孔１６２ｂ、１１２ｆと対向する領域の少なくとも一部に、図示しない貫通孔を設けてもよい。すなわち、キャビネット１６２内の空間、およびカバー１１４によって密閉された筐体１１２内の空間が直接繋がる構造にしてもよい。このような構成を採用することで、キャビネット１６２内の空間と筐体１１２内の空間をともにバックチャンバーとして利用することができ、優れた音響効果を生み出すことが可能となる。図示しないが、表示部１１０とスピーカー部１６０を水平に配置する場合には、側板１１２ｄに第２の貫通孔１１２ｆを設ければよい。第２の貫通孔１６２ｂと１１２ｆの形状や数は任意に設定すればよい。
【００４４】
上述したように、本発明の実施形態の一つに係る電子機器１００では、表示部１１０によって立体感と臨場感に溢れる映像を提供することができ、さらにキャビネット１６２と表示部１１０の筐体１１２内の空間を活用することで、スピーカー部１６０から出力される音声に優れた音響効果を付与することができる。したがってユーザは、臨場感の高い映像を鑑賞しながら、同時に高品質で迫力のあるサウンドを享受することができる。
【００４５】
本発明の実施形態として上述した各実施形態は、相互に矛盾しない限りにおいて、適宜組み合わせて実施することができる。また、各実施形態の表示装置を基にして、当業者が適宜構成要素の追加、削除もしくは設計変更を行ったもの、または、工程の追加、省略もしくは条件変更を行ったものも、本発明の要旨を備えている限り、本発明の範囲に含まれる。
【００４６】
上述した各実施形態の態様によりもたらされる作用効果とは異なる他の作用効果であっても、本明細書の記載から明らかなもの、または、当業者において容易に予測し得るものについては、当然に本発明によりもたらされるものと解される。
【符号の説明】
【００４７】
１００：電子機器、１１０：表示部、１１２：筐体、１１２ａ：背板、１１２ｂ：天板、１１２ｃ：底板、１１２ｄ：側板、１１２ｅ：開口、１１２ｆ：第２の貫通孔、１１４：カバー、１１６：遮光膜、１１８：バックライト、１２０：液晶パネル、１２２：基板、１２４：画素、１２６：表示領域、１２８：額縁領域、１３０：走査線駆動回路、１３２：信号線駆動回路、１３４：端子、１３６：ＦＰＣ基板、１４０：第１の反射膜、１４２：第２の反射膜、１４４：第３の反射膜、１４４ａ：接点、１４６：第４の反射膜、１４６ａ：接点、１４８：光拡散板、１４８ａ：点、１４８ｂ：変曲点、１５０：物体、１５２：影、１６０：スピーカー部、１６２：キャビネット、１６２ａ：貫通孔、１６２ｂ：第２の貫通孔、１６４：スピーカー、１６６：配線、１６８：シール材
【図１】
2020201374.tif 000003
【図２】
2020201374.tif 000004
【図３】
2020201374.tif 000005
【図４】
2020201374.tif 000006
【図５】
2020201374.tif 000007
【図６】
2020201374.tif 000008
【図７】
2020201374.tif 000009
【図８】
2020201374.tif 000010
【図９】
2020201374.tif 000011
【図１０】
2020201374.tif 000012
【図１１】
2020201374.tif 000013
【図１２】
2020201374.tif 000014
【図１３】
2020201374.tif 000015
【図１４】
2020201374.tif 000016
【図１５】
2020201374.tif 000017